(57)【要約】【課題】  従来、異なる放送方式の放送信号を受信可能な受信装置において、チャンネル切換え後の映像表示をより素早く行なうことが求められていた。【解決手段】  上記課題を解決するべく、視聴者がチャンネル切換を指示すると、マイクロコンピュータ３は放送方式が相違する放送チャンネルを受信可能な選局回路５に受信チャンネルの切換えを指示すると共にＡＧＣ回路１０のＡＧＣ感度を上げ、またメモリ４から前記切換え受信チャンネルにかかる垂直周波数を読み出し、垂直ドライブ回路７の垂直周波数をこの読み出した垂直周波数に切り換える。マイクロコンピュータ３は、さらに受信チャンネルの切換え前に受信していたチャンネルの垂直周波数と切換え後の受信チャンネルの垂直周波数の相違有無に応じて設定された所定時間の経過後にＡＧＣ回路１０のＡＧＣ感度を下げる。【選択図】  図１
2005191615.tif 000002
【特許請求の範囲】
【請求項１】
放送方式が相違する放送チャンネルを受信可能な選局回路と、受信チャンネルにかかるデータと共に受信チャンネルにかかる垂直周波数を記憶したメモリと、垂直偏向用の信号を供給する垂直偏向回路と、この垂直偏向回路のゲインをコントロールするＡＧＣ回路と、前記選局回路に受信チャンネルの切換えを指示すると共に前記ＡＧＣ回路のＡＧＣ感度を上げ、さらに前記メモリから前記切換え受信チャンネルにかかる垂直周波数を読み出し前記垂直偏向回路の垂直周波数をこの読み出した垂直周波数に切り換える制御手段とを具備し、前記制御手段は、受信チャンネルの切換え前に受信していたチャンネルの垂直周波数と切換え後の受信チャンネルの垂直周波数の相違に応じて設定された所定時間の経過後に前記ＡＧＣ回路のＡＧＣ感度を下げるよう構成されたことを特徴とする受信装置。
【請求項２】
請求項１記載の受信装置において、前記所定時間は受信チャンネルの切換え前に受信していたチャンネルの垂直周波数と切換え後の受信チャンネルの垂直周波数が同一の場合は短く、相違する場合は長く設定されるものであることを特徴とする受信装置。
【請求項３】
放送方式が相違する放送チャンネルを受信可能な選局回路と、受信チャンネルにかかるデータと共に受信チャンネルにかかる画像表示における垂直周波数を記憶したメモリと、垂直偏向用の信号を供給する垂直偏向回路と、この垂直偏向回路のゲインをコントロールするＡＧＣ回路と、前記選局回路に受信チャンネルの切換えを指示すると共に前記ＡＧＣ回路のＡＧＣ感度を上げ、さらに前記メモリから前記切換え受信チャンネルにかかる画像表示における垂直周波数を読み出し前記垂直偏向回路の垂直周波数をこの読み出した垂直周波数に切り換える制御手段とを具備し、前記制御手段は、受信チャンネルの切換え前に受信していたチャンネル及び切換え後の受信チャンネルにかかる画像表示における垂直周波数の相違に応じて設定された所定時間の経過後に前記ＡＧＣ回路のＡＧＣ感度を下げるよう構成されたことを特徴とする受信装置。
【請求項４】
請求項３記載の受信装置において、前記所定時間は受信チャンネルの切換え前に受信していたチャンネルの画像表示における垂直周波数と切換え後の受信チャンネルの画像表示における垂直周波数が近い場合は短く、大きく相違する場合は長く設定されるものであることを特徴とする受信装置。
【発明の詳細な説明】
【技術分野】
【０００１】
本発明は、異なる放送方式の信号を受信可能な受信装置に関する。
【背景技術】
【０００２】
アジア地域においては、ＰＡＬ方式（垂直周波数５０Ｈｚ）のテレビジョン放送とＮＴＳＣ方式（垂直周波数６０Ｈｚ）のテレビジョン放送の両方式の信号を受信可能な地域があり、これに対応してテレビジョン受像機も両方式の信号を受信可能なものが設計されている。この場合、受像機ではチャンネルが切り換えられる度に受信信号の垂直周波数の判定処理を行ない、この判定結果に応じて受信した映像信号の処理を行なっている。
【０００３】
上記垂直周波数の判定処理には時間がかかり、そのため、受像機に切り換えられたチャンネルの画像を表示するまでに時間を要していた。そこで、受信チャンネルをテレビジョン受像機にプリセットする際に、上記放送方式も合わせて記憶することで、すばやい切換えを行なえるようにする提案がなされている。例えば、特許文献１には、受信チャンネルプリセット時に受信チャンネルデータと共に方式判別データをメモリに記憶し、チャンネル切換え時に瞬時に方式判別データを得ることで、受信チャンネル切替え時の音声バズノイズの発生を抑えるようにした受信装置が開示されている。
【０００４】
しかしながら何かと忙しい現在は、より早い切換えによるチャンネル映像表示が求められている状況にある。
【特許文献１】特開平６−２２５２３９号公報（第２頁、図１）
【発明の開示】
【発明が解決しようとする課題】
【０００５】
上述したように、従来、受信チャンネルプリセット時に受信チャンネルデータと共に方式判別データをメモリに記憶し、チャンネル切換え時に瞬時に方式判別データを得ることで瞬時に方式を切り換える提案がなされているが、時代は更なる切換え時間の短縮化を求めている状況にある。
【０００６】
本発明はこのような点に鑑みてなされたもので、切換え後のチャンネルの映像表示をより早く行なうことが出来る受信装置を提供することを目的とする。
【課題を解決するための手段】
【０００７】
上記目的を達成するために、請求項１にかかる受信装置は、放送方式が相違する放送チャンネルを受信可能な選局回路と、受信チャンネルにかかるデータと共に受信チャンネルにかかる垂直周波数を記憶したメモリと、垂直偏向用の信号を供給する垂直偏向回路と、この垂直偏向回路のゲインをコントロールするＡＧＣ回路と、前記選局回路に受信チャンネルの切換えを指示すると共に前記ＡＧＣ回路のＡＧＣ感度を上げ、さらに前記メモリから前記切換え受信チャンネルにかかる垂直周波数を読み出し前記垂直偏向回路の垂直周波数をこの読み出した垂直周波数に切り換える制御手段とを具備し、前記制御手段は、受信チャンネルの切換え前に受信していたチャンネルの垂直周波数と切換え後の受信チャンネルの垂直周波数の相違に応じて設定された所定時間の経過後に前記ＡＧＣ回路のＡＧＣ感度を下げるよう構成されたことを特徴とするものである。
【０００８】
また、請求項２にかかる受信装置は、請求項１記載の受信装置において、前記所定時間は受信チャンネルの切換え前に受信していたチャンネルの垂直周波数と切換え後の受信チ
ャンネルの垂直周波数が同一の場合は短く、相違する場合は長く設定されるものであることを特徴とするものである。
【０００９】
さらに、請求項３にかかる受信装置は、放送方式が相違する放送チャンネルを受信可能な選局回路と、受信チャンネルにかかるデータと共に受信チャンネルにかかる画像表示における垂直周波数を記憶したメモリと、垂直偏向用の信号を供給する垂直偏向回路と、この垂直偏向回路のゲインをコントロールするＡＧＣ回路と、前記選局回路に受信チャンネルの切換えを指示すると共に前記ＡＧＣ回路のＡＧＣ感度を上げ、さらに前記メモリから前記切換え受信チャンネルにかかる画像表示における垂直周波数を読み出し前記垂直偏向回路の垂直周波数をこの読み出した垂直周波数に切り換える制御手段とを具備し、前記制御手段は、受信チャンネルの切換え前に受信していたチャンネル及び切換え後の受信チャンネルにかかる画像表示における垂直周波数の相違に応じて設定された所定時間の経過後に前記ＡＧＣ回路のＡＧＣ感度を下げるよう構成されたことを特徴とするものである。
【００１０】
請求項４にかかる受信装置は、請求項３記載の受信装置において、前記所定時間は受信チャンネルの切換え前に受信していたチャンネルの画像表示における垂直周波数と切換え後の受信チャンネルの画像表示における垂直周波数が近い場合は短く、大きく相違する場合は長く設定されるものであることを特徴とするものである。
【発明の効果】
【００１１】
本発明によれば、切換え後のチャンネル映像をより素早く表示することが可能な受信装置を提供することが出来る。
【発明を実施するための最良の形態】
【００１２】
以下、本発明になる受信装置の実施の形態について、図面を参照して説明する。
【００１３】
図１は本発明になる受信装置の一実施の形態を示す回路図である。図中、１はリモコン送信機であり、受信装置に対して視聴したいチャンネルの選択を指示したり音量の調整を行なわせるためのものである。２はリモコン送信機１からの赤外線による指示信号を受信するリモコン受信機であり、これには受信装置の各種制御を行なうためのマイクロコンピュータ３が接続されている。マイクロコンピュータ３には視聴者によるチャンネルプリセット時にチャンネルデータ（放送周波数とチャンネル番号等）と共に放送方式（ＰＡＬ方式かＮＴＳＣ方式か）が記憶されるメモリ４が接続されると共に、選局回路５を介して映像信号処理回路６が、垂直ドライブ回路７を介して垂直出力回路８が接続されている。これら垂直ドライブ回路７及び垂直出力回路８により受信装置の図示せぬモニタの垂直偏向用の信号が生成される。
【００１４】
なお、選局回路５には受信したチャンネルの放送方式を受信信号の垂直同期信号の周波数（垂直周波数）から判別する方式判別回路９が接続されており、この回路９の出力端はマイクロコンピュータ３に接続されている。さらに、マイクロコンピュータ３には垂直ＡＧＣ回路１０が接続されており、この垂直ＡＧＣ回路１０の出力端は垂直ドライブ回路７に接続されている。
【００１５】
次に図１の装置のチャンネル切換え時の動作について説明を行なう前に、視聴者によるチャンネルプリセット動作について説明を行なう。最初の視聴前に視聴者はチャンネルプリセットを行なう。これは、受信を希望するチャンネル（の周波数）を希望のチャンネル番号と共にメモリ４に記憶させるものであり、例えばリモコン送信機１を用いて装置の図示せぬモニタ画面上に表示された指示に基づいて設定するものである。この際に、マイクロコンピュータ３は受信チャンネルの垂直同期信号から方式判別回路９にて検出された垂直周波数もチャンネル周波数、設定チャンネル番号と共にメモリ４に記憶させる。
【００１６】
次に図１の装置のチャンネル切換え時の動作について図２も用いて説明を行なう。図２はチャンネル切換え時のマイクロコンピュータ３の動作にかかるフローチャートである。まず最初にリモコン送信機１（または、装置本体に設けられた図示せぬ操作ボタン）からＣＨ切換え指示があったかを確認する（ステップＳ１）。ＣＨ切換え指示がない場合（ステップＳ１でＮＯ）は、再びステップＳ１に戻る。ＣＨ切換え指示があった場合（ステップＳ１でＹＥＳ）は、選局回路５に対し受信すべきチャンネルの切換えを指示する（ステップＳ２）。
【００１７】
その後、マイクロコンピュータ３はメモリ４から上述した切り換えられる選局チャンネルにかかる垂直周波数を読み出す（ステップＳ３）と共に、垂直ＡＧＣ回路１０のＡＧＣ感度を上げる（ステップＳ４）。さらに垂直ドライブ回路７の垂直周波数をステップＳ３で読み出された垂直周波数に切り換える。次に、上記読み出された垂直周波数（すなわちチャンネル切換え後の垂直周波数）が先に受信していた（すなわち切換え前の）チャンネルの垂直周波数と同一か否かをチェックする（ステップＳ６）。同一であれば（すなわち、切換え前のチャンネルと切換え後のチャンネルは同一放送方式の放送である）（ステップＳ６でＹＥＳ）、垂直ＡＧＣ回路１０のＡＧＣ感度を上げる時間Ｔを短く設定する（ステップＳ７）。同一でなければ（すなわち、切換え前のチャンネルと切換え後のチャンネルは異なる放送方式の放送である）（ステップＳ６でＮＯ）、垂直ＡＧＣ回路１０のＡＧＣ感度を上げる時間Ｔを長く設定する（ステップＳ８）。
【００１８】
そしてステップＳ７あるいはＳ８で設定されたＡＧＣ感度を上昇させる時間Ｔが経過したか否かを判断し（ステップＳ９）、経過していなければ（ステップＳ９でＮＯ）、再びステップＳ９に戻り、経過していれば（ステップＳ９でＹＥＳ）、垂直ＡＧＣ回路１０のＡＧＣ感度を下げることになる（ステップＳ１０）。
【００１９】
以上述べた実施の形態によれば、切換え後のチャンネルの垂直周波数が切換え前のチャンネルのそれと一致する場合と一致しない場合とで垂直ＡＧＣ回路１０のＡＧＣ感度を上げる時間Ｔを異ならせているため、切換え後のチャンネルの垂直周波数が切換え前のチャンネルと一致する場合、垂直周波数が切り換えられて垂直振幅が安定するまでに要する時間をＡＧＣ感度を上げる時間Ｔに相違を持たせない場合に対し短くすることが出来る。従って、垂直振幅が安定するまで行なう映像信号のミューティング時間も全体として短くすることができ、チャンネル切換え操作後の出画までの時間も従来より早めることが出来る。
【００２０】
次に本発明の他の実施の形態について説明する。受信装置によっては、受信した信号の垂直周波数を２倍に変換して表示画像の画質の向上を図ったものがある。例えば垂直周波数が５０ＨｚのＰＡＬ方式の信号の垂直周波数を２倍の１００Ｈｚに変換して倍速表示したり、垂直周波数が６０ＨｚのＮＴＳＣ方式の信号の垂直周波数を２倍の１２０Ｈｚに変換して倍速表示するというものである。
【００２１】
上記変換にかかる設定が視聴者の選択に任される場合、ＰＡＬ方式の信号については垂直周波数の変換は行なわずにそのまま表示するが、ＮＴＳＣ方式の信号については垂直周波数を２倍の１２０Ｈｚに変換して表示するといった選択がなされ得ると共に、ＰＡＬ方式の信号及びＮＴＳＣ方式の信号のいずれについても垂直周波数を２倍のそれぞれ１００Ｈｚ、１２０Ｈｚに変換して表示する場合や、ＰＡＬ方式の信号及びＮＴＳＣ方式の信号のいずれについても垂直周波数の変換は行なわずにそのまま表示する場合も発生する。
【００２２】
このような場合、視聴者の選択によってはチャンネル切換えにより表示映像の垂直周波数が大きく切り換えられる場合（例えば、垂直周波数が１２０Ｈｚから５０Ｈｚに切り換
えられる場合）もあれば、あまり変化しない場合もある（例えば、表示映像の垂直周波数が１００Ｈｚから１２０Ｈｚに切り換えられる場合や、同じく垂直周波数が５０Ｈｚから６０Ｈｚに切り換えられる場合）。
【００２３】
そこで、チャンネル切換えにより垂直周波数が同一とならない場合は、いつでも垂直ＡＧＣ回路１０のＡＧＣ感度を上げる時間Ｔを長く設定するというのではなく、視聴者の倍速表示にかかる選択も加味して、表示映像の垂直周波数が大きく切り換えられる場合のみ垂直ＡＧＣ回路１０のＡＧＣ感度を上げる時間Ｔを長く設定することが考えられる。すなわち、チャンネル切換えにより表示映像の垂直周波数が切り換えられ同一とならない場合でも、それほど変化がない場合にはＡＧＣ感度を上げる時間Ｔを短く設定することで、一律にＡＧＣ感度を上げる時間Ｔを設定した場合（この場合、最も垂直周波数変化が大きい場合の垂直振幅の収束時間に上記時間Ｔを設定する必要があるため、周波数変化が少ない場合でも表示画面への画像表示までに時間を要する）に対して、表示映像の垂直周波数が切り換えられて垂直振幅が安定するまでに要する時間を短くすることが出来る。
【００２４】
図３及び図４は上述の如き実施の形態を説明するためのブロック図及びフローチャートである。なお、図３において図１と同一または同等部分には同一符号を付してその説明は省略する。
【００２５】
図３において図１と大きく相違する点は、マイクロコンピュータ１３及びメモリ１４、映像信号処理回路１６、垂直ドライブ回路１７、垂直出力回路１８である。例えば、マイクロコンピュータ１３はメモリ１４に倍速表示にかかる視聴者の設定（倍速表示か通常表示か）も受信方式ごとに記憶させている。映像信号処理回路１６は倍速表示に対応した回路構成を有し、垂直ドライブ回路１７及び垂直出力回路１８は同様にして、通常表示の垂直周波数に加えて倍速表示にも対応した垂直周波数を出力することが出来るよう構成されている。
【００２６】
次に図３に示した装置の動作を説明する。最初の視聴前に視聴者はチャンネルプリセットを行なうが、この点は先の実施の形態と同様である。本実施の形態では、ＮＴＳＣ方式の信号を受信した場合とＰＡＬ方式の信号を受信した場合のそれぞれについて倍速表示を希望するか否かを視聴者が追加設定する点が先の実施の形態と大きく相違する点である。なお、装置の出荷時には例えば倍速表示を標準設定としておき、通常の表示を視聴者が希望するときのみ、例えばリモコン送信機１を用いて装置の図示せぬモニタ画面上に表示された指示に基づいて設定するように構成しておけば、設定作業を簡略化できる。
【００２７】
本実施の形態の場合、マイクロコンピュータ１３はメモリ１４に倍速表示にかかる設定（倍速表示か通常表示か）を受信方式ごとに記憶させる。例えば、ＮＴＳＣ方式の信号を受信した場合については倍速表示、ＰＡＬ方式の信号を受信した場合には通常表示といった具合である。最終的に、メモリ１４には、チャンネル周波数及びその設定チャンネル番号、垂直周波数、並びにＮＴＳＣ方式の信号を受信した場合とＰＡＬ方式の信号を受信した場合のそれぞれについて倍速表示するか通常表示とするかの視聴者の設定が記憶されることになる。
【００２８】
次に図３の装置のチャンネル切換え時の動作について図４も用いて説明を行なう。図４はチャンネル切換え時のマイクロコンピュータ１３の動作にかかるフローチャートである。まず最初にリモコン送信機１（または、装置本体に設けられた図示せぬ操作ボタン）からＣＨ切換え指示があったかを確認する（ステップＳ１１）。ＣＨ切換え指示がない場合（ステップＳ１１でＮＯ）は、再びステップＳ１１に戻る。ＣＨ切換え指示があった場合（ステップＳ１１でＹＥＳ）は、選局回路５に対し受信すべきチャンネルの切換えを指示する（ステップＳ１２）。
【００２９】
その後、マイクロコンピュータ１３はメモリ１４から上述した切り換えられる選局チャンネルにかかる垂直周波数及び表示設定（倍速表示か通常表示か）を読み出す（ステップＳ１３）と共に、垂直ＡＧＣ回路１０のＡＧＣ感度を上げる（ステップＳ１４）。さらに垂直ドライブ回路１７の垂直周波数をステップＳ１３で読み出された垂直周波数及び表示設定に基づいて演算された表示用垂直周波数（受信チャンネルの垂直周波数が６０Ｈｚで表示設定が倍速表示なら１２０Ｈｚ）に切り換える（ステップＳ１５）。
【００３０】
次に、上記表示用垂直周波数が先に受信していた（すなわち切換え前の）チャンネルの表示用垂直周波数と同一か否かをチェックする（ステップＳ１６）。同一であれば（すなわち、切換え前のチャンネルと切換え後のチャンネルは同一放送方式の放送である）（ステップＳ１６でＹＥＳ）、垂直ＡＧＣ回路１０のＡＧＣ感度を上げる時間Ｔを短く設定する（ステップＳ１７）。同一でなければ（すなわち、切換え前のチャンネルと切換え後のチャンネルは異なる放送方式の放送である）（ステップＳ１６でＮＯ）、さらに切換え前のチャンネルと切換え後のチャンネルで表示用垂直周波数が大きく相違するかを判断する（ステップＳ１８）。
【００３１】
もし、大きな相違がないと判断されれば（垂直周波数が１００Ｈｚから１２０Ｈｚに切り換えられる場合や、同じく垂直周波数が５０Ｈｚから６０Ｈｚに切り換えられる場合）（ステップＳ１８でＮＯ）、ステップＳ１７に移り、大きく相違すると判断されれば（ステップＳ１８でＹＥＳ）、垂直ＡＧＣ回路１０のＡＧＣ感度を上げる時間Ｔを長く設定する（ステップＳ１９）。
【００３２】
そしてステップＳ１７あるいはＳ１９で設定されたＡＧＣ感度を上昇させる時間Ｔが経過したか否かを判断し（ステップＳ２０）、経過していなければ（ステップＳ２０でＮＯ）、再びステップＳ２０に戻り、経過していれば（ステップＳ２０でＹＥＳ）、垂直ＡＧＣ回路１０のＡＧＣ感度を下げることになる（ステップＳ２１）。
【００３３】
以上述べた実施の形態によれば、垂直ＡＧＣ感度を上げる時間も切り換わる周波数に応じた最適な時間に設定出来るため、従来より高速なチャンネル切換処理が可能となる。
【図面の簡単な説明】
【００３４】
【図１】本発明になる受信装置の一実施の形態を示す回路ブロック図。
【図２】図１の装置の動作を説明するためのフローチャート。
【図３】本発明になる受信装置の他の実施の形態を示す回路ブロック図。
【図４】図３の装置の動作を説明するためのフローチャート。
【符号の説明】
【００３５】
１：  リモコン送信機
２：  リモコン受信機
３：  マイクロコンピュータ
４：  メモリ
５：  選局回路
７：  垂直ドライブ回路
８：  垂直出力回路
９：  方式判別回路
１０：  垂直ＡＧＣ回路
【図１】
2005191615.tif 000003
【図２】
2005191615.tif 000004
【図３】
2005191615.tif 000005
【図４】
2005191615.tif 000006